(57)【要約】【課題】人体に極力近い構造を有し、柔道などのスポーツの練習を的確にして且つ効果的に行なえるスポーツ練習用人形を提供する。【解決手段】頭部１と首部２と胴体部３と左右の腕部４，４と左右の脚部５，５とから構成されるスポーツ練習用人形であって、頭部１は、胴体部３の上端部中央に固定される首部２に対し可動的に連結され、胴体部３は、前後、左右及び斜め方向に屈曲可能に形成され、腕部４は、上腕部６の上端部６ａが胴体部３にある肩部１０に対し可動的に連結されると共に、上腕部６の下端部６ｂと下腕部７の上端部７ａとが可動的に連結され、下腕部７の下端部７ｂには手部１１が可動的に連結され、脚部５は、上脚部８が胴体部３の下端部に可動的に連結されると共に、上脚部８の下端部８ｂと下脚部９の上端部９ａとが可動的に連結され、下脚部９の下端部９ｂには足部１２が可動的に連結されている。【選択図】図１
2015107224.tif 000002
【特許請求の範囲】
【請求項１】
頭部と首部と胴体部と左右の腕部と左右の脚部とから構成されるスポーツ練習用人形であって、
頭部は、胴体部の上端部中央に設けられた首部に対し可動的に連結され、胴体部は、前後、左右及び斜め方向に屈曲可能に形成され、腕部は、上腕部の上端部が胴体部にある肩部に対し可動的に連結されると共に、上腕部の下端部と下腕部の上端部とが可動的に連結され、下腕部の下端部には手部が可動的に連結され、脚部は、上脚部が胴体部の下端部に可動的に連結されると共に、上脚部の下端部と下脚部の上端部とが可動的に連結され、下脚部の下端部には足部が可動的に連結されているスポーツ練習用人形。
【請求項２】
頭部を首部に可動的に連結するのに、頭部に設けた頭部連結用円筒体の下端末広がり状部を、首部の上部側に設けた球状首本体に嵌合すると共に、頭部連結用円筒体内の上部に一端部を止着した引張コイルバネの他端部と、球状首本体の上部側に設けた上部広がり状の凹所の底部に一端部を軸着した連結バーの他端部とを連結するようにした請求項１に記載のスポーツ練習用人形。
【請求項３】
胴体部は、左右の肩部を有する胴体上枠と、胴体下枠と、これら胴体上枠及び胴体下枠に直交する背骨部とを有し、背骨部の主要部がコイルバネからなり、胴体下枠の下面側両端部には、脚部の上脚部を連結するための脚部用連結部が設けられている請求項１又は２に記載のスポーツ練習用人形。
【請求項４】
腕部は、夫々筒状の上腕部と下腕部とからなるもので、上腕部の上端部を、胴体部に設けた肩部の肩部本体に対しほぼ全方向に回動可能に嵌合し、上腕部の下端部と下腕部の上端部とを連結部材の両端部に対し夫々腕部の内外方向に傾動可能に嵌合し、下腕部の下端部を手部の手首部に対しほぼ全方向に回動可能に嵌合すると共に、肩部本体と連結部材の一端部とを対向方向に引張する引張コイルバネを介して連結し且つ連結部材の他端部と手部の手首部とを対向方向に引張する引張コイルバネを介して連結することによって形成される請求項１〜３の何れかに記載のスポーツ練習用人形。
【請求項５】
胴体部における左右の肩部は、円管材からなる胴体上枠の両端部内に夫々回転可能に嵌合される取付軸部と、この取付軸部と一体を成して、胴体上枠の両端から夫々突出する、腕部の上腕部を連結するための肩部本体と、胴体上枠内おいて両方の取付軸部を対向方向に引張した状態に連結する引張コイルバネとからなる請求項１〜４の何れかに記載のスポーツ練習用人形。
【請求項６】
脚部は、夫々筒状の上脚部と下脚部とからなるもので、上脚部の上端部を、胴体部に設  けた脚部用連結部に対しほぼ全方向に回動可能に嵌合し、上脚部の下端部と下脚部の上端部とを連結部材の両端部に対し脚部の前後方向に傾動可能に嵌合し、上脚部の下端部と下脚部の上端部とを脚部用連結部材の両端部に対し夫々脚部の前後方向に傾動可能に嵌合し、下脚部の下端部を足首部に対しほぼ全方向に回動可能に嵌合した状態で、脚部用連結部と脚部用連結部材の一端部とを対向方向に引張する引張コイルバネを介して連結し且つ脚部用連結部材の他端部と足首部とを対向方向に引張する引張コイルバネを介して連結することによって形成される請求項１〜５の何れかに記載のスポーツ練習用人形。
【請求項７】
脚部は、夫々筒状の上腕部と下腕部とからなるもので、上脚部の上端部を、胴体部に設けた脚部用連結部に対しほぼ全方向に回動可能に嵌合し、上脚部の下端部と下脚部の上端部とを連結部材の両端部に対し脚部の内外方向に傾転可能に嵌合し、上脚部の下端部と下脚部の上端部とを脚部用連結部材の両端部に対し夫々脚部の内外方向に傾動可能に嵌合し、下脚部の下端部を足首部に対しほぼ全方向に回動可能に嵌合した状態で、上脚部と下脚部とを、弾性紐状体により、脚部用連結部と脚部用連結部材の一端部とを対向方向に引張すると共に、脚部用連結部材の他端部と足首部とを対向方向に引張するように連結することによって形成される請求項１〜６の何れかに記載のスポーツ練習用人形。
【発明の詳細な説明】
【技術分野】
【０００１】
本発明は、柔道などのスポーツの練習に使用されるスポーツ練習用人形に関するものである。
【背景技術】
【０００２】
従来におけるこの種のスポーツ練習用人形として、図８に示されるようなものがある。この人形は、頭部ａと、この頭部ａと同じ太さの首部ｂと、胴体部と左右両脚部とを円筒状に一体に形成して柔道着を着たような形態とした人形本体部ｃと、この人形本体部ｃの上端部から左右に突設した腕部ｄ，ｄとからなるもので、自立できるようになっていて、柔道の練習をする者は、この人形と対峙して組み合った状態で様々な技の掛け方等を練習するようになっている。
【発明の概要】
【発明が解決しようとする課題】
【０００３】
しかしながら、上記のようなスポーツ練習用人形は、構造がきわめて単純で、胴体部と脚部との区別がなく、腕部も短く、しかも腕部や脚部に可動関節を備えていないために、効果的な練習を行なうことができない。
【０００４】
本発明は、上記の事情に鑑み、人体に極力近い構造を有し、柔道などのスポーツの練習を的確にして且つ効果的に行なうことができるスポーツ練習用人形を提供することを目的とする。
【課題を解決するための手段】
【０００５】
上記課題を解決するための手段を、後述する実施形態の参照符号を付して説明すると、請求項１に係る発明は、頭部１と首部２と胴体部３と左右の腕部４，４と左右の脚部５，５とから構成されるスポーツ練習用人形であって、
頭部１は、胴体部３の上端部中央に設けられた首部２に対し可動的に連結され、胴体部３は、前後、左右及び斜め方向に屈曲可能に形成され、腕部４は、上腕部６の上端部６ａが胴体部３にある肩部１０に対し可動的に連結されると共に、上腕部６の下端部６ｂと下腕部７の上端部７ａとが可動的に連結され、下腕部７の下端部７ｂには手部１１が可動的に連結され、脚部５は、上脚部８が胴体部３の下端部に可動的に連結されると共に、上脚部８の下端部８ｂと下脚部９の上端部９ａとが可動的に連結され、下脚部９の下端部９ｂには足部１２が可動的に連結されていることを特徴とする。
【０００６】
請求項２は、請求項１に記載のスポーツ練習用人形において、頭部１を首部２に可動的に連結するのに、頭部１に設けた頭部連結用筒体１４の下端末広がり状部１４ａを、首部２の球状首本体２ｂに嵌合すると共に、頭部連結用筒体１４内の上部に一端部を止着した引張コイルバネ２２の他端部と、球状首本体２ｂの上部側に設けた上部広がり状の凹所２０の底部に一端部を軸着した連結バー２３の他端部とを連結するようにしたことを特徴とする。
【０００７】
請求項３は、請求項１又は２に記載のスポーツ練習用人形において、胴体部３は、左右の肩部１０，１０を有する胴体上枠２５と、胴体下枠２８と、これら胴体上枠２５及び胴体下枠２８に直交する背骨部２９とを有し、背骨部２９の主要部がコイルバネ２９ａからなり、胴体下枠２８の下面側両端部には、脚部５の上脚部８を連結するための脚部用連結部３５が設けられていることを特徴とする。
【０００８】
請求項４は、請求項１〜３の何れかに記載のスポーツ練習用人形において、腕部４は、夫々筒状の上腕部６と下腕部７とからなるもので、上腕部６の上端部６ａを、胴体部３に設けた肩部１０の肩部本体３８に対しほぼ全方向に回動可能に嵌合し、上腕部６の下端部６ｂと下腕部７の上端部７ａとを連結部材４４の両端部４４ａ，４４ｂに対し夫々腕部４の内外方向に回動可能に（図５の(b) 参照）嵌合し、下腕部７の下端部７ｂを手部１１の１１ａに対しほぼ全方向に回動可能に嵌合すると共に、肩部本体３８と連結部材４４の一端部４４ａとを対向方向に引張する引張コイルバネ４５を介して連結し且つ連結部材４４の他端部４４ｂと１１ａとを対向方向に引張する引張コイルバネ４７を介して連結することによって形成されることを特徴とする。
【０００９】
請求項５は、請求項１〜４の何れかに記載のスポーツ練習用人形において、胴体部３における左右の肩部１０，１０は、円管材からなる胴体上枠２５の両端部内に夫々回転可能に嵌合される取付軸部３７，３７と、この取付軸部３７，３７と一体を成して、胴体上枠２５の両端から夫々突出する、腕部４の上腕部６を連結するための肩部本体３８，３８と、胴体上枠２５内おいて両方の取付軸部３７，３７を対向方向に引張した状態に連結する引張コイルバネ３９とからなることを特徴とする。
【００１０】
請求項６は、請求項１〜５の何れかに記載のスポーツ練習用人形において、脚部５は、夫々筒状の上脚部８と下脚部９とからなるもので、上脚部８の上端部８ａを、胴体部３に設けた脚部用連結部３５に対しほぼ全方向に回動可能に嵌合し、上脚部８の下端部８ｂと下脚部９の上端部９ａとを脚部用連結部材５３の両端部５３ａ，５３ｂに対し夫々脚部５の前後方向に回動可能に嵌合し、下脚部９の下端部９ｂを足部１２の足首部１２ｂに対しほぼ全方向に回動可能に嵌合すると共に、脚部用連結部３５と脚部用連結部材５３の一端部５３ａとを対向方向に引張する引張コイルバネ５４を介して連結し且つ脚部用連結部材５３の他端部５３ｂと足首部１２ｂとを対向方向に引張する引張コイルバネ５５を介して連結することによって形成されることを特徴とする。
【００１１】
請求項７は、請求項１〜６の何れかに記載のスポーツ練習用人形において、脚部５は、夫々筒状の上脚部８と下脚部９とからなるもので、上脚部８の上端部８ａを、胴体部３に設けた脚部用連結部３５に対しほぼ全方向に回動可能に嵌合し、上脚部８の下端部８ｂと下脚部９の上端部９ａとを脚部用連結部材５３の両端部５３ａ，５３ｂに対し夫々脚部５の前後方向に回動可能に嵌合した状態で、上脚部８と下脚部９とを、弾性紐状体７３により、脚部用連結部３５と脚部用連結部材５３の一端部５３ａとを対向方向に引張すると共に、脚部用連結部材５３の他端部５３ｂと足部１２の足首部１２ｂとを対向方向に引張するように連結することによって形成されることを特徴とする。
【発明の効果】
【００１２】
上記解決手段による発明の効果を、後述する実施形態の参照符号を付して説明すると、請求項１に係る発明のスポーツ練習用人形によれば、頭部１は首部２に対し可動的に連結され、胴体部３は前後、左右及び斜め方向に屈曲可能であり、腕部４は肩部１０に対し可動的に連結され、上腕部６の下端部６ｂと下腕部７の上端部７ａとが可動的に連結され、下腕部７の下端部７ｂには手部１１が可動的に連結され、脚部５は、上脚部８が胴体部３の下端部に可動的に連結されると共に、上脚部８の下端部８ｂと下脚部９の上端部９ａとが可動的に連結され、下脚部９の下端部９ｂに足部１２が可動的に連結されていて、人形各部の関節が可動であるから、例えば柔道の練習する時は、この人形と対峙して組み合った状態で様々な技の掛け方等を的確にして且つ効果的に練習することができる。
【００１３】
請求項２に係る発明のスポーツ練習用人形によれば、頭部連結用筒体１４の下端末広がり状部１４ａを、首部２の球状首本体２ｂに嵌合すると共に、頭部連結用筒体１４内の上部に一端部を止着した引張コイルバネ２２の他端部と、球状首本体２ｂの上部側に設けた上部広がり状の凹所２０の底部に一端部を軸着した連結バー２３の他端部とを連結した構成であるから、簡単な構造と少ない部品点数で頭部１を首部２に対し可動的に連結することができる。
【００１４】
請求項３に係る発明のスポーツ練習用人形では、胴体部３は、左右に肩部１０，１０を有する胴体上枠２５と、胴体下枠２８と、胴体上枠２５及び胴体下枠２８に直交する背骨部２９とを有し、背骨部２９の主要部がコイルバネ２９ａからなり、胴体下枠２８の下面側両端部には、脚部５の上脚部８を連結するための脚部用連結部３５が設けているから、肩部１０を容易に回すことができると共に、背骨部２９を人体同様に自由に曲げることができ、そして胴体上枠２５に対する両方の肩部１０，１０の取付構造が簡単となる。
【００１５】
請求項４に係る発明のスポーツ練習用人形によれば、上脚部８が胴体部３の下端部に対しあらゆる方向に回動可能となり、また上脚部８と下脚部９とは前後方向に互いに屈曲可能となり、また足部１２は下脚部９に対しあらゆる方向に回動可能となり、従って脚部５は、人体の脚部と同様な動きをさせることができ、柔道などのスポーツの練習を的確且つ有効に行なうことができる。
【００１６】
請求項５に係る発明のスポーツ練習用人形によれば、胴体部３における左右の肩部１０，１０は、円管材からなる胴体上枠２５の両端部内に夫々回転可能に嵌合される取付軸部３７，３７と、胴体上枠２５の両端から夫々突出する、腕部４の上腕部６を連結するための肩部本体３８，３８と、胴体上枠２５内で両方の取付軸部３７，３７を対向方向に引張した状態に連結する引張コイルバネ３９とからなるため、肩部１０を容易に回すことができると共に、胴体上枠２５に対する両方の肩部１０，１０の取付構造が簡単となる。
【００１７】
請求項６に係る発明のスポーツ練習用人形によれば、上脚部８が胴体部３の下端部に対しあらゆる方向に回動可能となり、上脚部８と下脚部９とが前後方向に互いに屈曲可能となり、足部１２が下脚部９に対しあらゆる方向に回動可能となり、従って脚部５は、人体の脚部と同様な動きをさせることができる。
【００１８】
請求項７に係る発明によれば、弾性紐状体７３の使用によって、スポーツ練習用人形の脚部５を構成する部品点数を少なくできて、製作の容易化とコストの低廉化を図ることができる。
【図面の簡単な説明】
【００１９】
【図１】本発明に係るスポーツ練習用人形を示す一部断面正面図である。
【図２】(a) は同スポーツ練習用人形の頭部を示す断面正面図、(b) は断面側面図である。
【図３】同スポーツ練習用人形の胴体部を示す一部断面正面図、(b) は一部断面側面図である。
【図４】(a) は胴体部の肩部の構造を示す一部断面正面図、(b) は(a) のＸ−Ｘ線拡大断面図、(c) は(a) のＹ−Ｙ線断面図である。
【図５】(a) は同スポーツ練習用人形の腕部の断面平面図、(b) は腕部の断面側面図である。
【図６】(a) と同スポーツ練習用人形の脚部の断面側面図、(b) は脚部の断面正面図である。
【図７】脚部の他の実施形態を示す正面図である。
【図８】従来のスポーツ練習用人形を示す外観斜視図である。
【発明を実施するための形態】
【００２０】
以下に、本発明の好適な実施形態を図面にもとづいて説明すると、図１に概略的に示すスポーツ練習用人形は、頭部１と首部２と胴体部３と左右の腕部４，４と左右の脚部５，５とから構成されて、頭部１は、胴体部３の上端部中央に固定された首部２に対し可動的に連結され、胴体部３は、図３に示すように、前後、左右及び斜め方向に屈曲可能に形成されている。腕部４は上腕部６と下腕部７とからなるもので、図５及び図６にも示すように、上腕部６の上端部６ａが胴体部３にある肩部１０に対し可動的に連結されると共に、上腕部６の下端部６ｂと下腕部７の上端部７ａとが可動的に連結され、そして下腕部７の下端部７ｂには手部１１が可動的に連結されている。脚部５は、上脚部８と下脚部９とからなるもので、上脚部８の上端部８ａが胴体部３の下端部に可動的に連結されると共に、上脚部８の下端部８ｂと下脚部９の上端部９ａとが可動的に連結され、下脚部９の下端部９ｂには足部１２が可動的に連結されている。尚、この実施形態では、首部２を胴体部３の上端部中央に固定させているが、首部２を胴体部３に対し回転可能としてもよい。
【００２１】
上記スポーツ練習用人形の構造について更に詳しく説明すれば、頭部１は、図２の(a) ，(b) に示すように、例えば樹脂製の有底筒状本体１３と、この有底筒状本体１３の底部１３ａを貫通するように同心状に取り付けられた樹脂製の頭部連結用筒体１４と、有底筒状本体１３内に図示のような山盛り状に装填された例えば硬質の発泡ウレタンからなる装填材１５と、これらの外周部を被って、頭皮部、顔部、目鼻口耳部等を形成する例えばシリコン製の外被部１６とからなるもので、頭部連結用筒体１４は、針金等の金属線材１７によって有底筒状本体１３に固定されている。
【００２２】
首部２は、図２及び図３に示すように、胴体部３の上端部中央に立設された短筒状の首受部１８に嵌合される基軸部２ａと、この基軸部２ａの上部側に設けられた球状首本体２ｂとからなるもので、基軸部２ａには直径方向に貫通するピン挿通孔２ｏが設けてあって、基軸部２ａを胴体部３の首受部１８に嵌合した時、その首受部１８に設けられたピン挿通孔１８ｏから基軸部２ａのピン挿通孔２ｏにピン１９（図１参照）を挿通することによって、胴体部３に固定されるようになっている。また、基軸部２ａの上部側には、図２の(a) の断面正面図及び(b) の断面側面図に示すような連結バー挿入用の上部広がり状の凹所２０が設けられている。尚、この凹所２０は、図２の(a) に示すように断面略Ｖ字形の上部広がり状であるが、同図の(b) に示すように前部側が切欠されて開放形状となっている。
【００２３】
しかして、頭部１を、胴体部３の上端部中央に固定される首部２に可動的に連結するには、図２の(a) ，(b) に示すように、頭部連結用筒体１４の下端末広がり状部１４ａを、首部２の球状首本体２ｂに嵌合すると共に、頭部連結用筒体１４内の上部に設けてある固定ピン２１に一端部を止着した引張コイルバネ２２の他端部と、球状首本体２ｂの上部側に設けられた連結バー挿入用の凹所２０の底部に一端部を軸着した連結バー２３の他端部とを連結することにより、頭部連結用筒体１４の下端末広がり状部１４ａが、引張コイルバネ２２の引張付勢力によって球状首本体２ｂに対し常時強く弾接した取付状態となり、従って図２の(a) ，(b) に示すように頭部１を前後左右方向に傾倒することができるし、前方へは９０°近くまで倒すことができ、また図２の(a) の仮想線図示のような傾倒姿勢で回転させることができる。上記のような頭部１の構成によると、簡単な構造と少ない部品点数で頭部１を首部２に対し可動的に容易に連結することができ、そして製作も容易となる。
【００２４】
この場合、固定ピン２１に一端部を止着した引張コイルバネ２２の他端部は、連結バー２３の一端部に掛止され、この連結バー２３の一端部は、球状首本体２ｂの凹所２０の底部に設けた固定ピン２４にピン挿通孔２３ｏを介して遊嵌状態に挿通され、それにより連結バー２３は、前後左右及び斜め方向のほぼ全方向に傾倒可能となる。尚、連結バー２３を使用せず、引張コイルバネ２２のみを使用してもよいが、この実施形態のように安価な連結バー２３とそれより高価な引張コイルバネ２２を併用すれば、引張コイルバネ２２を短くできるため、それだけコストを低減できる。
【００２５】
胴体部３は、図３の(a) ，(b) に示すように、左右の肩部１０，１０を有する胴体上枠２５と、この胴体上枠２５の下側に位置する支持枠２６と、胴体上枠２５及び支持枠２６の間に装填された例えば硬質の発泡ウレタンからなる装填材２７と、例えば木製の胴体下枠２８と、これら胴体上枠２５、支持枠２６及び胴体下枠２７に直交する背骨部２９とを有している。胴体上枠２５は、例えば樹脂製の円管材からなるもので、中央部には同様な樹脂製円管材からなる補強管３０が嵌合され、この補強管３０の上部側に樹脂製の円管材からなる首受部１８が立設されている。
【００２６】
胴体部３の背骨部２９は、胴体上枠２５と支持枠２６との間に介装された例えば樹脂製円管材からなる上部背骨材２９ｂと、支持枠２６及び胴体下枠２８間に介装された圧縮コイルバネからなる主背骨材２９ａとにより構成され、コイルバネからなる主背骨材２９ａの上端部は例えば木製の取付部材６１を介して支持枠２６に固定され、主背骨材２９ａの下端部は例えば木製の取付部材６２を介して胴体下枠２８に固定される。また上部背骨材２９ｂには樹脂製円管材からなる補強管６３が嵌合される。
【００２７】
胴体上枠２５と支持枠２６とそれらの間に装填された装填材２７とは、図３の(a) 及び(b) に示すように、背骨部２９の上部背骨材２９ｂを挟んでその両側部を針金等の結束部材３１により結束されて一体に保持固定される。コイルバネからなる主背骨材２９ａは、例えば軟質の発泡ウレタンからなる被覆材３２で被覆され、また結束部材３１の下端部と胴体下枠２５とが例えば鎖からなる可撓性の索体３３により連結され、この索体３３は、例えばフロートスティックからなる屈曲自在な厚肉円筒状の被覆部材３４に挿入された状態で被覆されている。
【００２８】
胴体下枠２８の下面側両端部には、脚部５の上脚部８を連結するための例えば木製の脚部用連結部３５が設けられ、この脚部用連結部３５は、胴体下枠２８に取付け固定される取付基部３５ａと、この取付基部３５ａの下部に球状に一体に形成された球状本体３５ｂとからなるもので、球状本体３５ｂには下面側に切欠開口する切欠開口部３６が設けられており、この切欠開口部３６は、正面視が図３の(a) に示すような略逆Ｖ字形で、側面視が同図の(b) に示すような略Ｉ字形に形成されている。
【００２９】
上記のような構造の胴体部３によると、背骨部２９は、その主背骨材２９ａがコイルバネからなるため、自立状態を維持することができながら、自由に屈曲することができる。また、胴体上枠２５と支持枠２６とそれらの間に装填された装填材２７とからなる胴体部３の上部側構造体と、胴体下枠２８とは、コイルバネからなる主背骨材２９ａを挟んでその両側に夫々介装された可撓性の索体３３によって連結されているから、例えば柔道の練習において胴体部３を横に曲げる必要がある時に、必要以上に曲げて胴体部３の一部分が折損、破断するような事態を回避することができる。
【００３０】
胴体部３における左右の肩部１０，１０は、図４の(a) に示すように、円管材からなる胴体上枠２５の両端部内に夫々回転可能に嵌合される取付軸部３７，３７と、この取付軸部３７と一体を成して、胴体上枠２５の両端から夫々突出する、腕部４の上腕部６を連結するための肩部本体３８，３８と、胴体上枠２５内おいて両方の取付軸部３７，３７を対向方向に引張した状態に連結する引張コイルバネ３９及びこれの両側にある索体４０，４０とよって構成され、肩部本体３８は、図４の(a) ，(b) から分かるように略太鼓形状に形成されている。
【００３１】
左右の肩部１０，１０の取付軸部３７，３７には、夫々の内端部側に、索体挿入孔３７ａ，３７ａが夫々中心軸線に沿って形成され、これらの索体挿入孔３７ａ，３７ａに索体４０，４０の夫々一端部が止着され、夫々の他端部が引張コイルバネ３９の両端部に夫々連結され、それにより両取付軸部３７，３７が対向方向に引張されて、胴体上枠２５の両端部内に夫々回転可能に嵌合された状態に保持される。尚、索体挿入孔３７ａ内に挿入された索体４０の一端部は、索体挿入孔３７ａの内奥部を通るように取付軸部３７に直径方向に貫設されたピン６４に取り付けられる。またこの場合、図４の(a) ，(b) に示すように、各取付軸部３７の内端面所要部にストッパー用突片４１が設けてあって、このストッパー用突片４１を、胴体上枠２５の所要部に設けたストッパー（例えばネジ具からなる）４２に当接させることにより、肩部１０の回転を３６０°以内の所要角度に制限して、引張コイルバネ３９や索体４０の破損を防止するようにしている。また、各肩部本体３８には、腕部連結用の切欠開口部４３が設けてある。
【００３２】
胴体部３の肩部１０，１０が上記のように構成されることによって、肩部１０を容易に回すことができると共に、胴体上枠２５に対する両方の肩部１０，１０の取付構造が簡単となる。尚、この実施形態では、胴体上枠２５内おいて両方の取付軸部３７，３７を引張コイルバネ３９とこれの両側の索体４０，４０とよって対向方向に引張する構成としているが、索体４０を使用せず、引張コイルバネ３９のみで両方の取付軸部３７，３７を対向方向に引張する構成としてもよいが、実施形態のように索体４０を使用することにより、長さの短い既製の安価な引張コイルバネの使用が可能で、コストの低減を図ることができる。
【００３３】
腕部４は、夫々筒状の上腕部６と下腕部７とからなるもので、図５の(a) ，(b) に詳しく示すように、拡径された上腕部６の上端部６ａを、胴体部３に設けられる肩部１０の肩部本体３８に対しほぼ全方向に回動可能に嵌合し、上腕部６の下端部６ｂと下腕部７の上端部７ａとを、図５の(b) に示すように側面視が略メガネ形の連結部材４４の両端部４４ａ，４４ｂに対し夫々腕部４の内外方向に回動可能に（図５の(b) 参照）嵌合し、下腕部７の下端部７ｂを球状の手首部１１ａに対しほぼ全方向に回動可能に嵌合すると共に、肩部本体３８と連結部材４４の一端部４４ａとを対向方向に引張する引張コイルバネ４５及びこれの両側の連結バー４６Ａ，４６Ｂを介して連結し且つ連結部材４４の他端部４４ｂと球状の１１ａとを対向方向に引張する引張コイルバネ４７及びこれの両側の連結バー４８Ａ，４８Ｂを介して連結することによって形成される。
【００３４】
上腕部６内の連結バー４６Ａの一端部は、肩部１０の肩部本体３８に設けてある切欠開口部４３に挿入されて、この切欠開口部４３の奥部を通るように肩部本体３８に貫通するピン６５で軸着され、その他端部は、引張コイルバネ４５の一端部に連結されており、上腕部６内の連結バー４６Ｂの一端部は、引張コイルバネ４５の他端部に連結され、その他端部は、連結部材４４の一端部４４ａに設けられた切欠開口部４９に挿入されて、この切欠開口部４９の奥部を通るように連結部材４４を貫通するピン６６で軸着されている。また、下腕部７内の連結バー４７Ａの一端部は、連結部材４４の他端部４４ｂに設けてある切欠開口部５０に挿入されて、この切欠開口部５０の奥部を通るように連結部材４４を貫通するピン６７で軸着され、その他端部は、引張コイルバネ４７の一端部に連結されており、下腕部７内の連結バー４８Ｂの一端部は、引張コイルバネ４７の他端部に連結され、その他端部は、１１ａに設けられた切欠開口部５１に挿入されて、この切欠開口部４９の奥部を通るように連結部材４４を貫通するピン６８で軸着されている。
【００３５】
上記のような腕部４の構成によって、上腕部６の上端部６ａが胴体部３の肩部１０に対し上下左右、前後及び斜め方向のほぼ全方向に回動可能となり、上腕部６を肩部１０に対して任意の方向に自由に回すことができ、また下腕部７を腕部４に対し内外方向に屈曲させることができ、また手部１１を下腕部７に対し任意の方向に自由に回すことができる。また、胴体部３に対する腕部４の可動連結及び上腕部６と下腕部７との可動連結を、少ない部品点数で有効に行なわせることができる。尚、この実施形態では、上腕部６内に引張コイルバネ４５とこれの上下の連結バー４６Ａ，４６Ｂとを配設し、また下腕部７内にも引張コイルバネ４７とこれの上下の連結バー４８Ａ，４８Ｂとを配設しているが、肩部本体３８と連結部材４４の一端部４４ａとを引張コイルバネ４５のみで対向方向に引張し、また連結部材４４の他端部４４ｂと球状の１１ａとを引張コイルバネ４７のみで対向方向に引張するようしてもよい。但し、実施形態のようにすれば、短い引張コイルバネ４５，４７を使用できるため、コストを低減できる。
【００３６】
脚部５は、夫々筒状の上脚部８と下脚部９とからなるもので、図６の(a) ，(b) に示すように、上脚部８の上端部８ａを、胴体部３に設けた脚部用連結部３５の球状本体３５ｂに対しほぼ全方向に回動可能に嵌合し、上脚部８の下端部８ｂと下脚部９の上端部９ａとを脚部用連結部材５３の両端部５３ａ，５３ｂに対し夫々脚部５の前後方向に回動可能に嵌合し、下脚部９の下端部９ｂを足部１２の足首部１２ｂに対しほぼ全方向に回動可能に嵌合すると共に、脚部用連結部３５と脚部用連結部材５３の一端部５３ａとを対向方向に引張する引張コイルバネ５４及び連結バー５６を介して連結し且つ脚部用連結部材５３の他端部５３ｂと足首部１２ｂとを対向方向に引張する引張コイルバネ５５及び連結バー５７を介して連結することによって形成される。尚、足部１２は、足部本体１２ａと球状の足首部１２ｂとから構成される。
【００３７】
また図６の(a) ，(b) に示すように、上脚部８内の引張コイルバネ５４の一端部は、脚部用連結部３５の球状本体３５ｂに設けてある切欠開口部３６に挿入されて、この切欠開口部３６の奥部を通るように球状本体３５ｂを貫通するピン６９に取り付けられ、引張コイルバネ５４の一端部は連結バー５６の一端部に連結され、この連結バー５６の他端部は、脚部用連結部材５３の一端部に設けてある切欠開口部５８の奥部を貫通するピン７０に軸着されている。また、下脚部９内の連結バー５７の一端部は、脚部用連結部材５３の他端部５３ｂに設けてある切欠開口部５９の貫通するピン７１に軸着され、連結バー５７の他端部は引張コイルバネ５５の一端部に連結され、この引張コイルバネ５５の他端部は、足首部１２ｂに設けてある切欠開口部６０に挿入されて、この切欠開口部３６の奥部を通るように球状本体３５ｂを貫通するピン７２に取り付けられている。
【００３８】
尚、脚部用連結部３５の切欠開口部５８，５９は、正面視が略Ｕ字形で、側面断面が略Ｌ字形に形成され、これによって脚部５は、図６の(a) の実線図示の真直状態から同図の仮想線図示のような後屈姿勢、更に屈曲した姿勢に折り曲げが可能となる。
【００３９】
上記のような脚部５の構成によって、上脚部８が胴体部３の下端部に対しあらゆる方向に回動可能となり、また上脚部８と下脚部９とは前後方向に互いに屈曲可能となり、また足部１２は下脚部９に対しあらゆる方向に回動可能となり、従って脚部５は、人体の脚部と同様な動きをさせることができる。尚、この脚部５の構成においても、脚部用連結部３５と脚部用連結部材５３の一端部５３ａとを引張コイルバネ５４のみで対向方向に引張し、また脚部用連結部材５３の他端部５３ｂと足首部１２ｂとを引張コイルバネ５５対向方向に引張するようにしてもよいが、実施形態のように引張コイルバネ５４，５５と連結バー５６，５７を併用することによって、コストの低減を図ることができる。
【００４０】
図７は他の構成による脚部５を示している。即ち、この脚部５は、夫々筒状の上脚部８と下脚部９とからなるもので、上脚部８の上端部８ａを、胴体部３に設けた脚部用連結部３５の球状本体３５ｂに対しほぼ全方向に回動可能に嵌合し、上脚部８の下端部８ｂと下脚部９の上端部９ａとを脚部用連結部材５３の両端部５３ａ，５３ｂに対し夫々脚部５の前後方向に回動可能に嵌合し、下脚部９の下端部９ｂを足部１２の足首部１２ｂに対しほぼ全方向に回動可能に嵌合するところまでは、図６の脚部５と同じであるが、それと異なるところは、上脚部８と下脚部９とを、ゴムチューブや径の太いゴム紐と等からなる弾性紐状体７３により、胴体部３に設けた脚部用連結部３５と脚部用連結部材５３の一端部５３ａとを対向方向に引張すると共に、脚部用連結部材５３の他端部５３ｂと足首部１２ｂとを対向方向に引張するように連結したもので、図６に示す脚部５と同様に、上脚部８が胴体部３の下端部に対しあらゆる方向に回動可能となり、そして上脚部８と下脚部９とが前後方向に互いに屈曲可能となり、また足部１２が下脚部９に対しあらゆる方向に回動可能となる。
【００４１】
この図７に示す実施形態の場合、弾性紐状体７３は、例えば、胴体部３の脚部用連結部３５の取付基部３５ａに直径方向に貫設した貫通孔７４を通り、上脚部８の上端部８ａの直径方向両側部に設けたリング状のガイド７５，７５を下向きに通って、上脚部８の下端部８ｂの直径方向両側部に設けたリング状のガイド７６，７６を通り抜け、更に下方へ延びて下脚部９の下端部９ａを通って、足部１２の足首部１２ｂに設けた直径方向に貫通孔７７（前記貫通孔７４と平行する貫通孔）を貫通する一方、上脚部８の上端部８ａと脚部用連結部材５３の上下方向中央部と足首部１２ｂとに夫々同じ向きに直径方向に貫設した３つの貫通孔７８，７９，８０（前記貫通孔７４，７７とは直交する方向の孔）に例えば略８の字状に挿通させて緊張した状態とすることにより、脚部用連結部３５と脚部用連結部材５３の一端部５３ａとを対向方向に引張すると共に、脚部用連結部材５３の他端部５３ｂと足部１２の足首部１２ｂとを対向方向に引張するようにしたもので、図６に示す実施形態の脚部５における引張コイルバネ５４，５５と同様に機能させることができる。
【００４２】
上記弾性紐状体７３は、１本でもよいし、複数本を使用してもよく、そしてどのような挿通経路を通るようにしてもよく、いずれにしても、図６に示す実施形態の脚部５における引張コイルバネ５４，５５と同じ様な引張作用を上脚部８と下脚部９とに発揮させるようにすればよい。このような弾性紐状体７３の使用によって、スポーツ練習用人形の脚部５を構成する部品点数を少なくできて、製作の容易化とコストの低廉化を図ることができる。
【００４３】
以上説明したようなスポーツ練習用人形によれば、この人形を用いて例えば柔道の練習を行なう場合、練習を行なう者は、人形に図１の仮想線で示すような柔道着Ｗを着せて、同図の実線図示のような起立姿勢から、脚部５，５を少し広げるために、胴体部３の下端部に対し脚部８，８を外方へ傾転させると共に、下脚部９，９を上脚部８，８に対し適宜に傾動させ、また腕部４，４は、その上腕部６，６を胴体部３の肩部１０，１０に対し夫々例えば下向きに傾転させ、下腕部７，７を上腕部６，６適宜に傾転させることにより、例えば図１の仮想線図示のような姿勢がとれるから、このような姿勢の人形と対峙して組み合った状態で様々な技の掛け方等を的確にして且つ効果的に練習することができる。
【符号の説明】
【００４４】
１            頭部
２            首部
３            胴体部
４            腕部
５            脚部
６            上腕部
７            下腕部
８            上脚部
９            下脚部
１０          肩部
１１          手部
１１ａ        手首部
１２          足部
１２ｂ        足首部
１４          頭部連結用筒体
２２          引張コイルバネ
２３          連結バー
２５          胴体上枠
２８          胴体下枠
２９          背骨部
２９ａ        主背骨材（コイルバネ）
３５          脚部用連結部
３８          肩部本体
３９          引張コイルバネ
４０          索体
４４          連結部材
４５          引張コイルバネ
４６Ａ        連結バー
４６Ｂ        連結バー
４７          引張コイルバネ
４８Ａ        連結バー
４８Ｂ        連結バー
５３          脚部用連結部材
５４          引張コイルバネ
５５          引張コイルバネ
５６          連結バー
５７          連結バー
７３          弾性紐状体
【図１】
2015107224.tif 000003
【図２】
2015107224.tif 000004
【図３】
2015107224.tif 000005
【図４】
2015107224.tif 000006
【図５】
2015107224.tif 000007
【図６】
2015107224.tif 000008
【図７】
2015107224.tif 000009
【図８】
2015107224.tif 000010
【手続補正書】
【提出日】平成25年12月6日(2013.12.6)
【手続補正１】
【補正対象書類名】特許請求の範囲
【補正対象項目名】請求項２
【補正方法】変更
【補正の内容】
【請求項２】
頭部を首部に可動的に連結するのに、頭部に設けた頭部連結用筒体の下端末広がり状部を、首部の上部側に設けた球状首本体に嵌合すると共に、頭部連結用筒体内の上部に一端部を止着した引張コイルバネの他端部と、球状首本体の上部側に設けた上部広がり状の凹所の底部に一端部を軸着した連結バーの他端部とを連結するようにした請求項１に記載のスポーツ練習用人形。
【手続補正２】
【補正対象書類名】特許請求の範囲
【補正対象項目名】請求項７
【補正方法】変更
【補正の内容】
【請求項７】
脚部は、夫々筒状の上脚部と下脚部とからなるもので、上脚部の上端部を、胴体部に設けた脚部用連結部に対しほぼ全方向に回動可能に嵌合し、上脚部の下端部と下脚部の上端部とを連結部材の両端部に対し脚部の内外方向に傾転可能に嵌合し、上脚部の下端部と下脚部の上端部とを脚部用連結部材の両端部に対し夫々脚部の内外方向に傾動可能に嵌合し、下脚部の下端部を足首部に対しほぼ全方向に回動可能に嵌合した状態で、上脚部と下脚部とを、弾性紐状体により、脚部用連結部と脚部用連結部材の一端部とを対向方向に引張すると共に、脚部用連結部材の他端部と足首部とを対向方向に引張するように連結することによって形成される請求項１〜６の何れかに記載のスポーツ練習用人形。
【手続補正３】
【補正対象書類名】明細書
【補正対象項目名】００１４
【補正方法】変更
【補正の内容】
【００１４】
請求項３に係る発明のスポーツ練習用人形では、胴体部３は、左右に肩部１０，１０を有する胴体上枠２５と、胴体下枠２８と、胴体上枠２５及び胴体下枠２８に直交する背骨部２９とを有し、背骨部２９の主要部がコイルバネ２９ａからなり、胴体下枠２８の下面側両端部には、脚部５の上脚部８を連結するための脚部用連結部３５が設けているから、脚部８を容易に回すことができると共に、背骨部２９を人体同様に自由に曲げることができ、そして胴体上枠２５に対する両方の肩部１０，１０の取付構造が簡単となる。
【手続補正４】
【補正対象書類名】明細書
【補正対象項目名】００２８
【補正方法】変更
【補正の内容】
【００２８】
胴体下枠２８の下面側両端部には、脚部５の上脚部８を連結するための例えば木製の脚部用連結部３５が設けられ、この脚部用連結部３５は、胴体下枠２８に取付け固定される取付基部３５ａと、この取付基部３５ａの下部に球状に一体に形成された球状本体３５ｂとからなるもので、球状本体３５ｂには下面側に切欠開口する切欠開口部３６が設けられており、この切欠開口部３６は、正面視が図３の(a) に示すような略逆Ｖ字形で、側面視が同図の(b) に示すような略逆Ｕ字形に形成されている。
【手続補正５】
【補正対象書類名】明細書
【補正対象項目名】００３３
【補正方法】変更
【補正の内容】
【００３３】
腕部４は、夫々筒状の上腕部６と下腕部７とからなるもので、図５の(a) ，(b) に詳しく示すように、拡径された上腕部６の上端部６ａを、胴体部３に設けられる肩部１０の肩部本体３８に対しほぼ全方向に回動可能に嵌合し、上腕部６の下端部６ｂと下腕部７の上端部７ａとを、図５の(b) に示すように側面視が略メガネ形の連結部材４４の両端部４４ａ，４４ｂに対し夫々腕部４の内外方向に回動可能に（図５の(b) 参照）嵌合し、下腕部７の下端部７ｂを球状の手首部１１ａに対しほぼ全方向に回動可能に嵌合すると共に、肩部本体３８と連結部材４４の一端部４４ａとを対向方向に引張する引張コイルバネ４５及びこれの両側の連結バー４６Ａ，４６Ｂを介して連結し且つ連結部材４４の他端部４４ｂと球状の手首部１１ａとを対向方向に引張する引張コイルバネ４７及びこれの両側の連結バー４８Ａ，４８Ｂを介して連結することによって形成される。
【手続補正６】
【補正対象書類名】明細書
【補正対象項目名】００３４
【補正方法】変更
【補正の内容】
【００３４】
上腕部６内の連結バー４６Ａの一端部は、肩部１０の肩部本体３８に設けてある切欠開口部４３に挿入されて、この切欠開口部４３の奥部を通るように肩部本体３８に貫通するピン６５で軸着され、その他端部は、引張コイルバネ４５の一端部に連結されており、上腕部６内の連結バー４６Ｂの一端部は、引張コイルバネ４５の他端部に連結され、その他端部は、連結部材４４の一端部４４ａに設けられた切欠開口部４９に挿入されて、この切欠開口部４９の奥部を通るように連結部材４４を貫通するピン６６で軸着されている。また、下腕部７内の連結バー４７Ａの一端部は、連結部材４４の他端部４４ｂに設けてある切欠開口部５０に挿入されて、この切欠開口部５０の奥部を通るように連結部材４４を貫通するピン６７で軸着され、その他端部は、引張コイルバネ４７の一端部に連結されており、下腕部７内の連結バー４８Ｂの一端部は、引張コイルバネ４７の他端部に連結され、その他端部は、手首部１１ａに設けられた切欠開口部５１に挿入されて、この切欠開口部５１の奥部を通るように手首部１１ａを貫通するピン６８で軸着されている。
【手続補正７】
【補正対象書類名】明細書
【補正対象項目名】００３７
【補正方法】変更
【補正の内容】
【００３７】
また図６の(a) ，(b) に示すように、上脚部８内の引張コイルバネ５４の一端部は、脚部用連結部３５の球状本体３５ｂに設けてある切欠開口部３６に挿入されて、この切欠開口部３６の奥部を通るように球状本体３５ｂを貫通するピン６９に取り付けられ、引張コイルバネ５４の一端部は連結バー５６の一端部に連結され、この連結バー５６の他端部は、脚部用連結部材５３の一端部に設けてある切欠開口部５８の奥部を貫通するピン７０に軸着されている。また、下脚部９内の連結バー５７の一端部は、脚部用連結部材５３の他端部５３ｂに設けてある切欠開口部５９の貫通するピン７１に軸着され、連結バー５７の他端部は引張コイルバネ５５の一端部に連結され、この引張コイルバネ５５の他端部は、足首部１２ｂに設けてある切欠開口部６０に挿入されて、この切欠開口部６０の奥部を通るように足首部１２ｂを貫通するピン７２に取り付けられている。
【手続補正８】
【補正対象書類名】明細書
【補正対象項目名】００３８
【補正方法】変更
【補正の内容】
【００３８】
尚、脚部用連結部３５の切欠開口部３６は、正面視が略Ｕ字形で、側面断面が略Ｌ字形に形成され、これによって脚部５は、図６の(a) の実線図示の真直状態から同図の仮想線図示のような後屈姿勢、更に屈曲した姿勢に折り曲げが可能となる。
【手続補正９】
【補正対象書類名】図面
【補正対象項目名】図５
【補正方法】変更
【補正の内容】
【図５】
2015107224.tif 000011